(57)【要約】【課題】スケジュール制御されている電気錠に対して中央管理装置からスケジュール外の遠隔操作を行って電気錠の状態を変更した場合でも、再びスケジュール制御に復帰させることが可能なドアセキュリティシステムを提供する。【解決手段】スケジュール制御されている電気錠に対して中央管理装置からスケジュール外の遠隔操作を行って電気錠の状態を変更した場合に、予め設定された所定時間経過後、および／または、予め設定された所定時刻になった場合に（周期的に）、自動的にスケジュール制御に復帰させる。あるいは、自動的にスケジュール制御に復帰させるのではなく、電気錠の状態をスケジュール制御する状態に復帰させることを促すメッセージを画面上に表示させる。スケジュール復帰させる方法（所定時間自動復帰か所定時刻自動復帰かアナウンス通知か）やタイミング（時間や時刻など）を選択できるようにしても良い。【選択図】  図３
2011080278.tif 000002
【特許請求の範囲】
【請求項１】
電気錠と、前記電気錠の施錠／解錠の状態をスケジュール制御する制御装置と、前記制御装置を遠隔管理する中央管理装置とを備えたドアセキュリティシステムであって、
前記中央管理装置は、前記制御装置に対して、前記スケジュール制御されている前記電気錠をスケジュール外の状態に変更させる遠隔操作を行うことが可能であり、
前記制御装置は、前記中央管理装置からの前記遠隔操作に従って、前記電気錠の状態をスケジュール外の状態に変更するとともに、予め設定された所定時間経過後に、自動的に前記電気錠の状態をスケジュール制御する状態に復帰させることを特徴とするドアセキュリティシステム。
【請求項２】
電気錠と、前記電気錠の施錠／解錠の状態をスケジュール制御する制御装置と、前記制御装置を遠隔管理する中央管理装置とを備えたドアセキュリティシステムであって、
前記中央管理装置は、前記制御装置に対して、前記スケジュール制御されている前記電気錠をスケジュール外の状態に変更させる遠隔操作を行うことが可能であり、
前記制御装置は、前記中央管理装置からの前記遠隔操作に従って、前記電気錠の状態をスケジュール外の状態に変更するとともに、予め設定された所定時刻になった場合に、自動的に前記電気錠の状態をスケジュール制御する状態に復帰させることを特徴とするドアセキュリティシステム。
【請求項３】
電気錠と、前記電気錠の施錠／解錠の状態をスケジュール制御する制御装置と、前記制御装置を遠隔管理する中央管理装置とを備えたドアセキュリティシステムであって、
前記中央管理装置は、前記制御装置に対して、前記スケジュール制御されている前記電気錠をスケジュール外の状態に変更させる遠隔操作を行うことが可能であり、
前記制御装置は、前記中央管理装置からの前記遠隔操作に従って、前記電気錠の状態をスケジュール外の状態に変更するとともに、予め設定された所定時間経過後に、前記中央管理装置に対して前記電気錠の状態をスケジュール制御する状態に未復帰であることを通知し、
前記中央管理装置は、前記通知を受け取った場合、前記電気錠の状態をスケジュール制御する状態に復帰させることを促すメッセージを画面上に表示させることを特徴とするドアセキュリティシステム。
【請求項４】
電気錠と、前記電気錠の施錠／解錠の状態をスケジュール制御する制御装置と、前記制御装置を遠隔管理する中央管理装置とを備えたドアセキュリティシステムであって、
前記中央管理装置は、前記制御装置に対して、前記スケジュール制御されている前記電気錠をスケジュール外の状態に変更させる遠隔操作を行うことが可能であり、
前記制御装置は、前記中央管理装置からの前記遠隔操作に従って、前記電気錠の状態をスケジュール外の状態に変更するとともに、予め設定された所定時間経過後、および、予め設定された所定時刻になった場合のうち、何れか早いほうの条件を満たした場合に、自動的に前記電気錠の状態をスケジュール制御する状態に復帰させることを特徴とするドアセキュリティシステム。
【請求項５】
電気錠と、前記電気錠の施錠／解錠の状態をスケジュール制御する制御装置と、前記制御装置を遠隔管理する中央管理装置とを備えたドアセキュリティシステムであって、
前記中央管理装置は、前記制御装置に対して、前記スケジュール制御されている前記電気錠をスケジュール外の状態に変更させる遠隔操作を行うことが可能であるとともに、スケジュール制御されている前記電気錠に対して前記中央管理装置からスケジュール外の遠隔操作を行って前記電気錠の状態を変更した場合に、スケジュール復帰させる方法およびタイミングを設定することが可能であることを特徴とするドアセキュリティシステム。
【請求項６】
前記スケジュール復帰させる方法およびタイミングは、予め設定された所定時間経過後自動的にスケジュール制御に復帰させる、または、予め設定された所定時刻になった場合に自動的にスケジュール制御に復帰させる、または、予め設定された所定時間経過後および予め設定された所定時刻になった場合のうち何れか早いほうの条件を満たした場合に自動的にスケジュール制御に復帰させる、のうちの何れかにするかを選択可能であることを特徴とする請求項５に記載のドアセキュリティシステム。
【請求項７】
前記スケジュール復帰させる方法は、自動的にスケジュール制御に復帰させるか、電気錠の状態をスケジュール制御する状態に復帰させることを促すメッセージを画面上に表示させて手動で復帰させるかを選択可能であることを特徴とする請求項５または６に記載のドアセキュリティシステム。
【請求項８】
前記電気錠が複数ある場合に、スケジュール復帰させる方法およびタイミングを、電気錠ごとに設定できることを特徴とする請求項５から７の何れかに記載のドアセキュリティシステム。
【発明の詳細な説明】
【技術分野】
【０００１】
本発明は、ドアセキュリティシステムに関し、特に、電気錠状態をスケジュール制御している入室管理システムや入退室管理システムなどのドアセキュリティシステムに関する。
【背景技術】
【０００２】
従来より、ドアセキュリティシステムとして、扉に電気錠を設置し、この電気錠を制御装置（制御端末）の制御により施解錠する入退室管理システムが使用されている。このようなシステムには、中央管理装置（センター装置）を有し、中央管理装置から遠隔操作により制御装置に指示を出し特定の扉の施錠／解錠操作を行うことが出来るとともに、電気錠の施錠／解錠の状態をスケジュールとして設定して制御装置に登録することで設定されたスケジュールどおりに扉の施錠／解錠を行うことが可能な構成のものがある。
【０００３】
このような電気錠のスケジュール制御を行うものとして、例えば特許文献１，特許文献２などがある。
【０００４】
図１は、スケジュール制御による扉の制御状態を表す模式図である。横軸は時間ｔを示しており、スケジュール１の設定（連続施錠状態（以下、単に「施錠」と呼ぶ場合もある），連続解錠状態（以下、単に「解錠」と呼ぶ場合もある））に合わせ、電気錠状態２はスケジュール１として設定された遠隔操作により施錠，解錠と状態が変化する。
【０００５】
ここで、連続施錠状態の場合に、例えば利用者が扉付近に設置されたカードリーダなどの認証端末で認証を行った場合、一時的に電気錠が解錠され、通過後または所定時間経過後に再び連続施錠状態に戻る。
【０００６】
また、特許文献２では、連続解錠状態の場合に、利用者が扉のサムターンの操作により手動で電気錠を施錠した場合に、所定時間経過後に電気錠状態を解錠状態に復帰させるものが記載されている。
【先行技術文献】
【特許文献】
【０００７】
【特許文献１】特開平３−１０３５８２号公報
【特許文献２】特開２００４−８４１９３号公報
【発明の概要】
【発明が解決しようとする課題】
【０００８】
しかしながら、上述のような構成の入退室管理システムでは、スケジュール制御を行っている電気錠において、中央管理装置から遠隔操作によりスケジュール外の施解錠の状態変更を行うと、もう一度スケジュール外の遠隔操作を行い、スケジュールの状態と電気錠の状態を一致させない限り、次のスケジュールによる状態変更が発生するまでスケジュール外の状態を維持し続けてしまうため、戻し忘れによりセキュリティがかからない時間帯が生じてしまうという問題点を有していた。
【０００９】
図２は、スケジュール制御を行っている扉に対しスケジュール外の遠隔操作を行った際の扉の制御状態を表す模式図である。スケジュール１で施錠（連続施錠状態）のときに、中央管理装置からスケジュール外の遠隔操作３を行うと、電気錠状態２（ａ）は解錠となり、その状態を維持する。そして、中央管理装置からもう一度スケジュール外の遠隔操作３を行うまで、この状態は維持されるため、スケジュール外の遠隔操作３を行ってからスケジュール１が解錠（連続解錠状態）となるまでの時間は、スケジュール１と、実際の扉の状態は一致しないという現象が生じる。
【００１０】
従来は、スケジュール制御されている電気錠に対して、スケジュール１で施錠のときに現地で認証端末により解錠したときや、特許文献２のようにスケジュール１で解錠のときに現地で手動で施錠したときには、自動的にスケジュールと同じ状態に復帰する機能は考慮されていたが、中央管理装置からスケジュール外の遠隔操作を行った場合について考慮されていなかった。現地で施錠／解錠の状態を変更した場合は利用者が気付くことができるが、中央管理装置からスケジュール外の遠隔操作を行った場合、現地から離れているので、遠隔操作者は状態を戻すのを忘れてしまうおそれがあり、また、遠隔操作のため現地での利用者がこの遠隔操作に気付きにくく、気付いたとしても中央管理装置を操作する必要があるのでスケジュールに復帰させることが困難であるという問題がある。
【００１１】
本発明は、以上のような背景に基づいてなされたものであり、本発明の目的は、スケジュール制御されている電気錠に対して中央管理装置からスケジュール外の遠隔操作を行って電気錠の状態を変更した場合でも、再びスケジュール制御に復帰させることが可能なドアセキュリティシステムを提供することである。
【００１２】
尚、上記した課題以外のその他の課題は、本願明細書全体の記載または図面から明らかにされる。
【課題を解決するための手段】
【００１３】
本発明のドアセキュリティシステムでは、例えば、スケジュール制御されている電気錠に対して中央管理装置からスケジュール外の遠隔操作を行って電気錠の状態を変更した場合に、予め設定された所定時間経過後、および／または、予め設定された所定時刻になった場合に（周期的に）、自動的にスケジュール制御に復帰させる。あるいは、自動的にスケジュール制御に復帰させるのではなく、電気錠の状態をスケジュール制御する状態に復帰させることを促すメッセージを画面上に表示させる。
【００１４】
尚、スケジュール復帰させる方法（所定時間自動復帰か所定時刻自動復帰かアナウンス通知か）やタイミング（時間や時刻など）を選択できるようにしても良い。また、電気錠が複数ある場合は、電気錠ごとに設定できるようにしても良い。
【００１５】
尚、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００１６】
本発明による代表的な効果は、次の通りである。
【００１７】
スケジュール制御されている電気錠に対して中央管理装置からスケジュール外の遠隔操作を行って電気錠の状態を変更した場合でも、再びスケジュール制御に復帰させることが可能となる。これにより、スケジュール制御の状態への戻し忘れを防止し、一定のセキュリティレベルを維持することが可能である。
【００１８】
また、電気錠単位でスケジュール復帰の方法やタイミングを設定することが可能であるため、例えばセキュリティレベルの高い部屋へ入場するための電気錠にはスケジュール自動復帰とスケジュール周期復帰の両方を設定する、スケジュール外の遠隔操作が頻繁に行われ、またその際設定する時間にばらつきがある扉には未復帰のメッセージ機能を設定する、といった運用における汎用性が向上する。
【００１９】
本発明のその他の効果については、明細書全体の記載から明らかにされる。
【図面の簡単な説明】
【００２０】
【図１】スケジュール制御による扉の制御状態を表す模式図である。
【図２】スケジュール外の遠隔操作を行った際の扉の制御状態を表す模式図である。
【図３】本発明のドアセキュリティシステムの構成図である。
【図４】スケジュール復帰設定データの例を表す図である。
【図５】スケジュール周期復帰が行われるまでの手順を示すフローチャートである。
【図６】スケジュール制御を行っている電気錠に対しスケジュール外の遠隔操作を行った際のスケジュール周期復帰を表す模式図である。
【図７】スケジュール外の遠隔操作後、スケジュールが自動復帰されるまでの手順を示すフローチャートである。
【図８】スケジュール制御を行っている電気錠に対しスケジュール外の遠隔操作を行った際のスケジュール自動復帰を表す模式図である。
【図９】アナウンス通知の処理手順を示すフローチャートである。
【図１０】監視画面上のアナウンス通知の通知例である。
【図１１】スケジュール復帰の際、アナウンス通知を中央管理装置の監視画面上に表示するタイミングを表す模式図である。
【発明を実施するための形態】
【００２１】
本発明の実施例を、図面を参照しながら説明する。尚、各図および各実施例において、同一又は類似の構成要素には同じ符号を付し、説明を省略する。
【００２２】
図３は、本発明のドアセキュリティシステムの構成図である。本発明のドアセキュリティシステムの一例として、入室管理システムあるいは入退室管理システムを例として説明する。本発明のドアセキュリティシステムは、例えば、電気錠９と、電気錠９の制御を行う制御装置８と、その制御装置８にネットワーク７を介して接続され制御装置８の管理を行う中央管理装置６とにより構成される。また、制御装置８はネットワーク７を介して複数接続することが可能であり、電気錠９も各制御装置８で複数制御することが可能な構成となっている。
【００２３】
中央管理装置６は、入退室の監視を行うための監視画面を表示する表示装置６２と、データを入力するための入力装置６３とが備えられている。また、中央管理装置６は、各扉の情報を持つ扉データ６Ａと、各時間毎の扉の動作を制御するためのスケジュールデータ６Ｂと、スケジュール自動復帰に関するデータであるスケジュール復帰設定データ６Ｃとを作成することが可能であり、作成されたデータは記憶部６０に登録される。中央管理装置６は、制御部６１により、記憶部６０のデータを、各制御装置８毎に分割してそれぞれ対応する制御装置８に送信する。
【００２４】
制御装置８は、受信した自装置の扉データ８Ａ，スケジュールデータ８Ｂ，スケジュール復帰設定データ８Ｃを、記憶部８０に格納し、これらのデータを基に制御部８１により対応する電気錠９の制御を行い、制御結果を中央管理装置６に送信する。
【００２５】
中央管理装置６は、送信された電気錠９の制御結果を表示装置６２を用いて監視画面上に表示させることが可能であり、また監視画面上から入力装置６３を用いて遠隔操作を行うことにより、電気錠９の状態変更指示を制御装置８に送信することが可能である。
【００２６】
すなわち、本発明のドアセキュリティシステムでは、電気錠９と、電気錠９の施錠／解錠の状態をスケジュール制御する制御装置８と、制御装置８を遠隔管理する中央管理装置６とを備え、中央管理装置６は、制御装置８に対して、スケジュール制御されている電気錠をスケジュール外の状態に変更させる遠隔操作を行うことが可能であり、制御装置８は、中央管理装置６からの遠隔操作に従って、電気錠９の状態をスケジュール外の状態に変更することが可能である。
【００２７】
図４は、スケジュール復帰設定データの例を表す図である。制御装置８の記憶部８０に格納されたスケジュール復帰設定データ８Ｃは、例えば、図４に示すとおりであり、扉名称に示した各扉に対応する電気錠９に対応するスケジュール復帰の方法やタイミングを電気錠９ごとに設定することが可能なデータである。図４において、自動復帰１０は、スケジュール外の遠隔操作後、設定した時間（自動復帰時間１１）が経過すると自動でスケジュール復帰させる機能に関する設定項目であり、自動復帰１０の機能を電気錠９に適用するか否かを有効，無効，アナウンス通知を選択して設定することが可能である。有効に設定した場合には、自動復帰時間１１が経過した後に、自動でスケジュール復帰を行う機能が有効になる。アナウンス通知を設定した場合は、自動スケジュール復帰の処理が行われる際に、中央管理装置６の監視画面上に未復帰のメッセージを表示させ、スケジュール復帰の実行／保留を選択することが可能となる設定である。
【００２８】
自動復帰時間１１は、自動復帰１０の設定が有効またはアナウンス通知である場合に設定が可能な項目であり、スケジュール外の遠隔操作を行ったあと、スケジュール自動復帰またはアナウンス通知を行うまでの時間を設定する項目である。自動復帰１０においてアナウンス通知が設定されている場合、アナウンス通知回数１２と時間間隔１３とを設定することが可能であり、それぞれ、未復帰のメッセージを中央管理装置６の監視画面上に表示させるアナウンス通知回数と、２回以上表示させる場合の時間間隔を設定する項目である。保留回数１４は、中央管理装置６において何回保留が選択されたかを示すデータであり、初期値では０が設定されている。
【００２９】
周期復帰２０は、スケジュール外の遠隔操作の有無に関わらず、予め設定した時刻（周期復帰時刻２１）に自動でスケジュール復帰する設定項目であり、周期復帰２０の機能を電気錠９に適用するか否かを有効／無効により設定することが可能である。周期復帰時刻２１は、周期復帰２０が有効である場合に設定が可能な項目であり、設定した時刻にスケジュール復帰を行う。尚、周期復帰時刻２１は、複数の時刻を設定できるようにしても良い。
【００３０】
次に、スケジュール周期復帰，自動復帰が行われる手順をそれぞれ説明する。
【００３１】
図５は、スケジュール周期復帰が行われるまでの手順を示すフローチャートである。図５では、遠隔操作の有無に関わらず、予め設定した時刻に自動でスケジュール復帰されるまでの制御装置８の処理手順を示している。
【００３２】
ステップ１０１で、制御装置８は、中央管理装置６から送信されたスケジュール復帰設定データ６Ｃを受信し、制御装置８内の記憶部８０にスケジュール復帰設定データ８Ｃが格納される。周期復帰２０が有効である場合、ステップ１０２へ進む。
【００３３】
ステップ１０２で、制御装置８は、復帰時刻の監視を始める。ステップ１０３で、時刻が毎分００秒となった場合、ステップ１０４へ進む。ステップ１０４で、現在時刻と設定された周期復帰時刻２１との比較を行い、現在時刻が周期復帰時刻２１と等しい場合はステップ１０５に進み、現在時刻と周期復帰時刻２１が異なる場合はステップ１０６に進む。周期復帰時刻の場合、ステップ１０５で、スケジュール復帰処理を行い、制御装置８はスケジュールデータ８Ｂの状態に合わせるよう電気錠９に対し施錠／解錠信号を出力し、ステップ１０６へ進む。
【００３４】
ステップ１０６で、中央管理装置６より制御装置８へスケジュール復帰設定データ６Ｃ内の設定項目である周期復帰２０が無効の設定で送信されたものを制御装置８が受信しているかを判断する。周期復帰２０が無効の設定で受信している場合（無効設定受信ありの場合）、ステップ１０７へ進み、復帰時刻監視を終了し、スケジュールの周期復帰処理を終了する。受信なしの場合は、ステップ１０３に戻る。
【００３５】
図６は、スケジュール制御を行っている電気錠に対しスケジュール外の遠隔操作を行った際のスケジュール周期復帰を表す模式図である。５，５（ａ）はスケジュール周期復帰時刻を表す。スケジュール外の遠隔操作３（ａ）により、電気錠状態２（ｂ）が変更されると、予め設定されたスケジュール周期復帰時刻５のタイミングでスケジュール復帰が行われ、スケジュール１の状態と電気錠９の状態が一致する。尚、スケジュール周期復帰時刻５（ａ）の場合は、電気錠９の状態が一致しているので変化していない。また、周期復帰時刻２１は、スケジュール周期復帰時刻５，５（ａ）といったように複数の時刻を設定することが可能である。その際はステップ１０４で現在の時刻と複数の周期復帰時刻を比較する処理を行う。
【００３６】
次に、スケジュール外の遠隔操作を行った際に自動でスケジュール復帰されるまでの制御装置８の処理手順を、図７を用いて説明する。図７はスケジュール外の遠隔操作後、スケジュール自動復帰されるまでの手順を示すフローチャートである。
【００３７】
ステップ２０１で、制御装置８は、中央管理装置６より制御装置８へ送信されたスケジュール自動復帰に関するデータであるスケジュール復帰設定データ６Ｃを受信し、制御装置８は、記憶部８０にスケジュール復帰設定データ８Ｃとして格納し、自動復旧に関する処理の可否判断を開始する。自動復帰１０が有効またはアナウンス通知である場合はステップ２０２へ進む。
【００３８】
ステップ２０２で、自動復帰時間１１により、現在時刻に自動復帰時間１１加算した時刻をスケジュール復帰を行う予定の時刻として設定し、ステップ２０３へ進む。ステップ２０３で、復帰予定時刻前に、予め中央管理装置６から制御装置８に送信されたスケジュールデータ６Ｂ（あるいは記憶部８０に格納されたスケジュールデータ８Ｂでも可）において、スケジュール制御により施解錠の変更が生じるか否か（スケジュールイベントがあるかないか）を判断する。変更が生じた場合はスケジュール制御に従い電気錠９の状態が変更され、ステップ２０７に進み、変更が無い場合はステップ２０４へ進む。
【００３９】
ステップ２０４で、復帰予定時刻前にスケジュール周期復帰が行われるか否かを判断する。周期復帰２０が有効であり、周期復帰時刻２１が復帰予定時刻前である場合は、図４のステップ１０５に進み、周期復帰処理が行われ、周期復帰２０が無効または周期復帰時刻２１が復帰予定時刻後の場合はステップ２０５に進む。
【００４０】
ステップ２０５で、復帰予定時刻であるかを判断し、復帰予定時刻前である場合はステップ２０３へ戻る。復帰予定時刻である場合は、ステップ３００に進む。ステップ３００で、自動復帰１０がアナウンス通知かを判断し、自動復帰１０が有効に設定されている場合はステップ２０６へ進み、自動復帰１０がアナウンス通知である場合は、図９のステップ３０１へ進む。
【００４１】
ステップ２０６で、制御装置８は電気錠９に施錠／解錠信号を出力し、スケジュールの状態と電気錠９の状態を一致させる。ステップ２０７で、制御装置８の復帰パラメータであるスケジュール復帰設定データ８Ｃをクリアし、スケジュール自動復帰処理を終了する。
【００４２】
図８は、スケジュール制御を行っている電気錠９に対しスケジュール外の遠隔操作を行った際の自動復帰を表す模式図である。Ｓは自動復帰時間を表しており、４（ａ），４（ｂ）はスケジュール自動復帰タイミングを表している。スケジュール外の遠隔操作３（ｂ）が行われると、電気錠状態２（ｃ）が変化し、予め設定されたスケジュール変更及び周期復帰が行われない場合、自動復帰時間Ｓが経過するとスケジュール自動復帰タイミング４（ａ）にスケジュール自動復帰が行われ、スケジュール１の状態と電気錠９の状態が一致する。また、自動復帰時間Ｓが設定されていても、自動復帰時間Ｓの時間が来る前にスケジュール周期復帰時刻５（ｂ）がある場合は、スケジュール周期復帰時刻５（ｂ）に合わせてスケジュール自動復帰タイミング４（ｂ）でスケジュール周期復帰が行われ、自動復帰の設定はキャンセルされる。
【００４３】
図９は、アナウンス通知の処理手順を示すフローチャートである。スケジュール自動復帰の機能について、自動復帰１０においてアナウンス通知が選択された場合の制御装置８の処理手順を、図９を用いて説明する。
【００４４】
ステップ３０１で、スケジュール復帰を行う前に、制御装置８は中央管理装置６へアナウンス通知イベントを送信する。中央管理装置６では、受信したイベントにより、監視画面上に電気錠９が未復帰である旨を表示する。図１０は、監視画面上のアナウンス通知の通知例である。監視画面上ではスケジュール復帰の実行／保留の選択を行い、設定釦を押下することでコマンドを発行し制御装置８へ送信する。
【００４５】
ステップ３０２で、制御装置８は中央管理装置６よりスケジュール復帰の実行／保留のコマンドを受信する。ステップ３０３で、制御装置８の制御部８１はコマンドが実行であるのか、保留であるのかを判断する。実行である場合はステップ２０６へ進み、スケジュール復帰を行う。保留である場合はステップ３０４へ進む。
【００４６】
ステップ３０４で、制御装置８の記憶部８０内に格納されたスケジュール復帰設定データ８Ｃの保留回数１４の項目に＋１を加え、ステップ３０５へ進む。ステップ３０５で、保留回数１４とアナウンス通知回数１２との比較を行う。保留回数１４＝アナウンス通知回数１２である場合、ステップ２０７へ進み、スケジュール復帰設定データ８Ｃをクリアして処理を終了する。保留回数１４＜アナウンス通知回数１２である場合、ステップ３０６へ進む。
【００４７】
ステップ３０６で、時間間隔１３により、再通知時刻を設定し、ステップ３０７へ進む。ステップ３０７で、再通知時刻前に、予め記憶部８０に格納されたスケジュールデータ８Ｂにおいて、スケジュール制御により施解錠の変更が生じるか否か（スケジュールイベントがあるかないか）を判断する。変更が生じた場合は、スケジュール制御に従い電気錠９の状態が変更され、ステップ２０７に進み、変更が無い場合はステップ３０８へ進む。
【００４８】
ステップ３０８で、再通知時刻前にスケジュール周期復帰イベントが行われるか否かを判断する。周期復帰２０が有効であり、周期復帰時刻２１が再通知時刻前である場合は、周期復帰処理を行い、ステップ２０７に進み、周期復帰２０が無効または周期復帰時刻２１が再設定時刻後の場合はステップ３０９に進む。
【００４９】
ステップ３０９で、再通知時刻であるかを判断し、再通知時刻前である場合はステップ３０７へ戻る。再通知時刻である場合はステップ３０１へ戻り、再び中央管理装置６へアナウンス通知イベントを送信する。
【００５０】
図１１は、スケジュール復帰の際、アナウンス通知を中央管理装置の監視画面上に表示するタイミングを表す模式図である。図１１では例として、アナウンス通知回数を２回に設定し、監視画面による選択を全て保留にした場合のスケジュール復帰の過程を表している。Ｔはアナウンス通知の時間間隔を表しており、Ｕ，Ｕ１，Ｕ２は監視画面上でスケジュール未復帰アナウンス通知が行われるタイミングを表している。
【００５１】
スケジュール外の遠隔操作３（ｄ）により、電気錠状態２（ｄ）が変更されると、予め設定された自動復帰時間Ｓ経過後、スケジュール未復帰のアナウンス通知がタイミングＵで中央管理装置６の監視画面上に表示される。監視画面上でスケジュール復帰の保留が選択されたため、スケジュール復帰は行われず、時間Ｔ経過後、監視画面上にタイミングＵ１で再通知が表示される。再通知でも保留が選択されたため、スケジュール復帰は行われなかった。
【００５２】
再びスケジュール外の遠隔操作３（ｅ）により、電気錠状態２（ｄ）が変更されると、自動復帰時間Ｓ経過後、アナウンス通知がタイミングＵ２で監視画面上に表示される。監視画面上でスケジュール復帰の保留が選択されたため、スケジュール復帰は行われず、時間Ｔ経過後の再通知が設定されるが、時間Ｔが経過する前にスケジュール周期復帰時刻５（ｃ）がある場合は、スケジュール周期復帰時刻５（ｃ）のタイミングで周期復帰が行われ、再通知設定はキャンセルされる。
【００５３】
上述のスケジュール自動復帰機能の有効／無効及び自動復帰時間の設定、アナウンス通知の設定、スケジュール周期復帰機能の有効／無効設定及び復帰時刻の設定は、各電気錠においてそれぞれ選択して設定することが可能である。
【００５４】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いても良い。
【符号の説明】
【００５５】
１  スケジュール
２，２（ａ），２（ｂ），２（ｃ），２（ｄ）  電気錠状態
３，３（ａ），３（ｂ），３（ｃ），３（ｄ）  スケジュール外の遠隔操作
４（ａ），４（ｂ）  スケジュール自動復帰タイミング
５，５（ａ），５（ｂ），５（ｃ）  スケジュール周期復帰時刻
６  中央管理装置
６Ａ，８Ａ  扉データ
６Ｂ，８Ｂ  スケジュールデータ
６Ｃ，８Ｃ  スケジュール復帰設定データ
７  ネットワーク
８  制御装置
９  電気錠
１０  スケジュール復帰設定データ  自動復帰
１１  スケジュール復帰設定データ  自動復帰時間
１２  アナウンス通知設定データ    アナウンス通知回数
１３  アナウンス通知設定データ    時間間隔
１４  アナウンス通知データ        保留回数
２０  スケジュール復帰設定データ  周期復帰
２１  スケジュール復帰設定データ  周期復帰時刻
６０，８０  記憶部
６１，８１  制御部
６２  表示装置
６３  入力装置
Ｓ  自動復帰時間
Ｕ，Ｕ１，Ｕ２  スケジュール未復帰アナウンス通知のタイミング
【図１】
2011080278.tif 000003
【図２】
2011080278.tif 000004
【図３】
2011080278.tif 000005
【図４】
2011080278.tif 000006
【図５】
2011080278.tif 000007
【図６】
2011080278.tif 000008
【図７】
2011080278.tif 000009
【図８】
2011080278.tif 000010
【図９】
2011080278.tif 000011
【図１０】
2011080278.tif 000012
【図１１】
2011080278.tif 000013